(57)【要約】【課題】ガスタービン排出ディフューザを通って流れる排出ガス内に流体を噴射させるシステム及び方法を提供すること。【解決手段】１つの態様において、ガスタービン（１２）用の排出ディフューザ（２４）が開示される。排出ディフューザ（２４）は、一般に、内側ケーシング（２６）と、ガスタービン（１２）の排出ガス（３６）を受けるための通路（３４）を定めるために、内側ケーシング（２６）から半径方向に間隔を置いて配置された外側ケーシング（２８）とを含むことができる。加えて、排出ディフューザ（２４）は、通路（３４）を流れる排出ガス（３６）内に流体を噴射するよう構成された流体出口（５０）を含むことができる。【選択図】      図２
2012149640.tif 000002
【特許請求の範囲】
【請求項１】
ガスタービン（１２）用の排出ディフューザ（２４）であって、
内側ケーシング（２６）と、
前記ガスタービン（１２）の排出ガス（３６）を受けるための通路（３４）を定めるために、前記内側ケーシング（２６）から半径方向に間隔を置いて配置された外側ケーシング（２８）と、
前記内側ケーシング（２６）と前記外側ケーシング（２８）との間に延在する複数のストラット（３０）と、
前記複数のストラット（３０）のうちの少なくとも１つに定められ、前記通路（３４）を通って流れる前記排出ガス（３６）中に流体を噴射するよう構成された流体出口（５０）と、
を備える、排出ディフューザ（２４）。
【請求項２】
前記複数のストラット（３０）の各々は、前記流体出口（５０）が隣接して定められた前縁（４６）を含む、請求項１記載の排出ディフューザ（２４）。
【請求項３】
前記複数のストラット（３０）の各々に定められる複数の流体出口（５０）を更に備え、前記複数の流体出口（５０）が、前記通路（３４）を通って流れる排出ガス（３６）内に流体を噴射するよう構成されている、請求項１記載の排出ディフューザ（２４）。
【請求項４】
前記流体出口（５０）と流体源（５４）との間に配置されるバルブ（８０）を更に備え、該バルブ（８０）が、前記流体源（５４）から前記流体出口（５０）に供給される流体の量を制御するよう構成されている、請求項１記載の排出ディフューザ（２４）。
【請求項５】
ガスタービン（１２）用の排出ディフューザ（２４）であって、
内側ケーシング（２６）と、
前記ガスタービン（１２）の排出ガス（３６）を受けるための通路（３４）を定めるために、前記内側ケーシング（２６）から半径方向に間隔を置いて配置された外側ケーシング（２８）と、
前記通路（３４）を通って流れる前記排出ガス（３６）中に流体を噴射するよう構成された流体出口（５０）と、
を備える、排出ディフューザ（２４）。
【請求項６】
前記内側ケーシング（２６）と前記外側ケーシング（２８）との間に延在するストラット（３０）を更に備え、前記流体出口（５０）が前記ストラット（３０）内に定められる、請求項５記載の排出ディフューザ（２４）。
【請求項７】
前記ストラット（３０）は、前記流体出口（５０）が隣接して定められた前縁（４６）を含む、請求項６記載の排出ディフューザ（２４）。
【請求項８】
前記ストラット（３０）内に定められる複数の流体出口（５０）を更に備え、前記複数の流体出口（５０）が、前記ストラット（３０）の高さに沿って間隔を置いて配置されている、請求項６記載の排出ディフューザ（２４）。
【請求項９】
前記内側ケーシング（２６）と前記外側ケーシング（２８）との間に延在する複数のストラット（３０）を更に備え、該複数のストラット（３０）の各々が、前記通路（３４）を通って流れる排出ガス（３６）内に流体を噴射するよう構成された流体出口（５０）を定める、請求項５記載の排出ディフューザ（２４）。
【請求項１０】
前記流体出口（５０）が、前記外側ケーシング（２８）、前記内側ケーシング（２６）、及び前記通路（３４）内に延在する流体導管（５８）のうちの少なくとも１つ内に定められる、請求項５記載の排出ディフューザ（２４）。
【請求項１１】
ガスタービン（１２）の排出ディフューザ（２４）を通って流れる排出ガス（３６）を冷却する方法であって、
前記排出ディフューザ（２４）の流体出口（５０）に流体を供給する段階と、
前記流体出口（５０）を通る前記流体を前記排出ディフューザ（２４）を流れる排出ガス内に噴射する段階と、
を含む方法。
【請求項１２】
前記排出ディフューザ（２４）を流れる排出ガスの温度を決定する段階を更に含む、請求項１１記載の方法。
【請求項１３】
前記温度に基づいて前記排出ガス（３６）内に噴射される流体の量を制御する段階を更に含む、請求項１２記載の方法。
【請求項１４】
前記排出ディフューザ（２４）の流体出口（５０）に流体を供給する前記段階が、前記排出ディフューザ（２４）のストラット（３０）内に定められる流体出口（５０）に流体を供給する段階を含む、請求項１１記載の方法。
【請求項１５】
前記排出ディフューザ（２４）の流体出口（５０）に流体を供給する前記段階が、前記排出ディフューザ（２４）の外側ケーシング（２８）、前記排出ディフューザ（２４）の内側ケーシング（２６）、及び前記排出ディフューザ（２４）内に延在する流体導管（５８）のうちの少なくとも１つに定められる流体出口（５０）に流体を供給する段階を含む、請求項１１記載の方法。
【発明の詳細な説明】
【技術分野】
【０００１】
本発明の主題は、全体的に、ガスタービンに関し、より詳細には、ガスタービンに対してターンダウン能力を向上させるためにガスタービン排出ディフューザを通って流れる排出ガス内に流体を噴射させるシステム及び方法に関する。
【背景技術】
【０００２】
複合サイクル発電システムは通常、排熱回収ボイラ（ＨＲＳＧ）システムに結合されるガスタービンを含む。ガスタービンは通常、圧縮機セクション、燃焼セクション、及びタービンセクションを含む。圧縮機セクションは通常、動翼及び静翼の複数の段を有する軸流圧縮機によって特徴付けられる。周囲空気が圧縮機に流入し、動翼及び静翼が空気に運動エネルギーを漸次的に与え、該空気が高加圧状態になる。加圧空気は圧縮機から流出して燃焼セクションに流れ、ここで燃料と混合されて１以上の燃焼器内で燃焼し、燃焼ガスを発生する。燃焼器から流出する燃焼ガスは、タービンセクションに流れ、ここで燃焼ガスが膨張し仕事を産出する。次いで、タービンセクションから吐出された加熱燃焼ガスは、ガスタービンの排出ディフューザを通って流れ、次いで、熱エネルギー源としてＨＲＳＧシステムに送給することができる。詳細には、排出ガスからの熱が水供給源に伝達され、高圧高温の蒸気を発生するようにすることができる。次いで、１以上の蒸気タービン内で蒸気を用いてエネルギーを生成することができる。
【０００３】
一般に理解されるように、ガスタービンの最小負荷又はターンダウン能力は、ガスタービンを運転する上で重要な考慮事項である。具体的には、ターンダウン能力は、ガスタービンのオペレータがガスタービンにかかる負荷を低減する能力に対応し、一般には、燃焼器に供給される燃料の量を低減することによって達成される。従って、ガスタービンのターンダウン能力が増大すると、オフピーク期間（例えば、夜間）に機械を運転するのに必要な燃料の量が低減され、これにより結果として大幅な燃料コスト節減が得られる。しかしながら、ガスタービンがターンダウンされると、タービンから排出される排出ガスの温度が定常的に上昇する。残念ながら、このような排出温度の上昇は、複合サイクル発電システムのＨＲＳＧシステムのような下流側部品にとって問題となる可能性がある。例えば、ＨＲＳＧシステムは、比較的低いターンダウン値（例えば、５０％負荷未満）にてガスタービンが到達可能な排出温度を下回る最大温度で運転するよう設計されていることが多い。このような場合、ガスタービンのターンダウン能力は、ＨＲＳＧシステムの最大作動温度によって制限される。
【０００４】
ターンダウン能力を高めようとする現在の試みは、ガスタービンの燃焼器の作動を調整することに注目している。しかしながら、燃焼器の作動を調整する方法及び程度を決定することは、難しい作業であることが多い。更に、燃焼器の作動調整は、多くの場合、燃焼効率の低下、並びにエミッション増大、燃焼ダイナミックスの増加、及び同様のものなど、他の望ましくない結果を招く可能性がある。
【０００５】
従って、ＨＲＳＧシステムなどの下流側部品の最大作動温度を上回る温度で、このような部品に排出ガスを供給すること無くターンダウンを簡単且つ効率的に強化できることが望ましい。
【発明の概要】
【発明が解決しようとする課題】
【０００６】
本発明の態様及び利点は、以下の説明において部分的に記載され、又は、本説明から明らかになることができ、或いは、本発明を実施することによって理解することができる。
【課題を解決するための手段】
【０００７】
１つの態様において、本発明の主題は、ガスタービン用の排出ディフューザを開示している。排出ディフューザは、一般に、内側ケーシングと、ガスタービンの排出ガスを受けるための通路を定めるために、内側ケーシングから半径方向に間隔を置いて配置された外側ケーシングとを含むことができる。加えて、排出ディフューザは、通路を通って流れる排出ガス中に流体を噴射するよう構成された流体出口を含むことができる。
【０００８】
別の態様において、本発明の主題は、ガスタービン用の排出ディフューザを開示している。排出ディフューザは、一般に、内側ケーシングと、ガスタービンの排出ガスを受けるための通路を定めるために、内側ケーシングから半径方向に間隔を置いて配置された外側ケーシングとを含むことができる。加えて、排出ディフューザは、内側ケーシングと外側ケーシングとの間に延在する複数のストラットを含むことができる。更に、排出ディフューザは、流体出口は、少なくとも１つのストラット内に定めることができ、通路を通って流れる排出ガス内に流体を噴射するよう構成することができる。
【０００９】
別の態様において、本発明の主題は、ガスタービンの排出ディフューザを通って流れる排出ガスを冷却する方法を開示している。本方法は、排出ディフューザの流体出口に流体を供給する段階と、流体出口を通る流体を排出ディフューザに流れる排出ガス内に噴射する段階とを含むことができる。
【００１０】
本発明のこれら及び他の特徴、態様、並びに利点は、以下の説明及び添付の請求項を参照するとより理解できるであろう。本明細書に組み込まれ且つその一部を構成する添付図面は、本発明の実施形態を例証しており、本明細書と共に本発明の原理を説明する役割を果たす。
【００１１】
添付図を参照した本明細書において、当業者に対してなしたその最良の形態を含む本発明の完全かつ有効な開示を説明する。
【図面の簡単な説明】
【００１２】
【図１】本発明の主題の態様によるシステムの一実施形態の簡略的概略図。
【図２】本発明の主題の態様による、開示されたシステムと共に用いるのに好適な排出ディフューザの一実施形態の側断面図。
【図３】線３−３に沿った図２に示す排出ディフューザの断面図。
【図４】線４−４に沿った図２に示す排出ディフューザの断面図。
【図５】本発明の主題の態様による、開示されたシステムと共に用いるのに好適な排出ディフューザの別の実施形態の側断面図。
【図６】線６−６に沿った図５に示す排出ディフューザの断面図。
【図７】本発明の主題の態様による、開示された実施形態と共に用いるのに好適な排出ディフューザの別の実施形態の側断面図。
【図８】線８−８に沿った図７に示す排出ディフューザの断面図。
【発明を実施するための形態】
【００１３】
以下、本発明の実施形態について詳しく説明するが、その１以上の実施例を図面に示す。各実施例は例示にすぎず、本発明を限定するものではない。実際、本発明の技術的範囲又は技術的思想から逸脱せずに、本発明に様々な修正及び変形をなすことができることは当業者には明らかであろう。例えば、ある実施形態の一部として例示又は説明した特徴を、別の実施形態に用いてさらに別の実施形態としてもよい。従って、本発明は、かかる修正及び変形を特許請求の範囲で規定される技術的範囲及びその均等の範囲に属するものとして包含する。
【００１４】
一般に、本発明の主題は、ガスタービンから流出し、複合サイクル発電システムの排熱回収ボイラ（ＨＲＳＧ）システムなどの下流側部品に流れる排出ガスの温度を低下させるためのシステム及び方法に関する。詳細には、本発明の主題は、ガスタービンのタービンセクションから流出する排出ガス内に冷却媒体を噴射するための１以上の流体出口を有する排出ディフューザに関する。例えば、幾つかの実施形態では、流体出口は、排出ディフューザのストラットの１以上内に定められ、又は他の方法で配置され、水、空気、燃料、及び／又はあらゆる他の好適な液体及び／又はガスのような冷却流体を排出ガスの流れ内に直接噴射できるようにすることができる。従って、ガスタービンから流出する排出ガスの温度は、このようなガスが何れかの下流側部品に送給される前に有意に低減することができる。
【００１５】
流体を排出ガスの流れに噴射するための流体出口を含めるよう排出ディフューザを構成することにより、ＨＲＳＧシステム及び他のあらゆる下流側部品の最大温度範囲を上回ることなくターンダウン能力の向上を達成できる点は理解されたい。詳細には、比較的低いターンダウン値（例えば、５０％負荷を下回る）で達成される温度上昇は、排出ディフューザ内に流れる排出ガスへ流体を噴射することにより制御することができ、これにより、ガスタービンの排出温度をあらゆる下流側部品における許容可能な作動温度にまで低下させることができる。そのため、ガスタービンのターンダウン能力は、このような下流側部品の最大作動温度によって限定される必要は無い。
【００１６】
ここで図面を参照すると、図１は、本発明の主題の態様による、複合サイクル発電システム１０の一実施形態の簡略的概略図を示している。図示のように、システム１０は、圧縮機セクション１４、燃焼セクション１６、及びタービンセクション１８を有するガスタービン１２を含む。燃焼セクション１６は、一般に、ガスタービン１２の軸線を中心として環状アレイで配置された複数の燃焼器（図示せず）によって特徴付けることができる。圧縮機セクション１４及びタービンセクション１８は、ロータシャフト２０によって結合することができる。ロータシャフト２０は、単一のシャフト、或いは、互いに結合されてロータシャフト２０を形成する複数のシャフトセグメントとすることができる。ガスタービン１２の運転中、圧縮機セクション１４は、加圧空気を燃焼セクション１６内に供給する。加圧空気は燃料と混合されて各燃焼器内で燃焼し、燃焼セクション１６からタービンセクション１８への高温の燃焼ガスが流れ、ここで高温ガスからエネルギーが抽出されて動力を発生する。
【００１７】
加えて、システム１０は、ガスタービン１２の下流側に配置されたＨＲＳＧシステム２２を含むことができる。一般に理解されるように、ＨＲＳＧシステム２２は、ガスタービン１２のタービンセクション１８から流出する加熱排出ガスを受けるように構成することができる。例えば、幾つかの実施形態では、排出ガスは、ガスタービン１２の排出ディフューザ２４を通ってＨＲＳＧシステム２２に供給することができる。次いで、ＨＲＳＧシステム２２に供給される排出ガスは、高圧高温の蒸気を発生する熱源として用いることができる。次に、蒸気は、蒸気タービン（図示せず）を通過し、動力を発生することができる。加えて、蒸気はまた、過熱蒸気を利用できるシステム１０内で他のプロセスに送ることができる。
【００１８】
次に、図２〜４を参照すると、本発明の主題の態様による開示されたシステム１０と共に用いるのに好適な排出ディフューザ２４の一実施形態の簡略図を示している。詳細には、図２は、排出ディフューザ２４の一実施形態の側断面図を示している。図３は、線３−３に沿った図２に示す排出ディフューザ２４の断面図を示している。加えて、図４は、線４−４に沿った図２に示す排出ディフューザ２４の断面図を示している。
【００１９】
図示のように、排出ディフューザ２４は、一般に、内側ケーシング２６、外側ケーシング２８、及び１以上のストラット３０を含む。内側ケーシングは、一般に、ガスタービン１２（図１２）の回転部品３２の１以上を囲むよう構成された弓形ケーシングを含むことができる。例えば、内側ケーシング２６は、ロータシャフト２０（図１）、軸受（図示せず）、及び／又はガスタービン１２の他の回転部品３２を囲む又は収容することができる。外側ケーシング２８は、一般に、内側ケーシング２６から半径方向に間隔を置いて配置することができ、ガスタービン１２のタービンセクション１８から流出する排出ガス３６を受けるための排出通路３４を定めるように内側ケーシング２６を囲むことができる。一般に、排出ディフューザ２４は、増大した静圧の形態で排出ガス３６の運動エネルギーをポテンシャルエネルギーに変換するよう構成することができる。従って、図示のように、外側ケーシング２８は、一般に、内側ケーシング２６に対して角度が付けられ、排出通路３４が下流側方向（例えば、ＨＲＳＧシステム２２の方向）で面積が増大するダクト又は通路を含むようにすることができる。そのため、排出ガス３６は、排出ディフューザ２４の長さにわたって分散又は拡散され、これにより排出ガス３６の速度が低下し、静圧を増大させることができる。外側ケーシング２８が単一の壁付き構造として図示されているが、内側ケーシング２６はまた、離間して配置された別個の壁を有する二重又は複数の壁付き構造として構成してもよい点は理解されたい。
【００２０】
排出ディフューザ２４のストラット３０は、一般に、内側ケーシング２６と外側ケーシング２８との間に延在して、内側ケーシング２６に対して外側ケーシング２８の向きを定め、排出ディフューザ２４における構造部品として機能を果たすようにすることができる。本発明の開示の関連において、用語「ストラット」は、内側ケーシング２６及び外側ケーシング２８間に延在するあらゆる構造又は支持部材を含む。図４に詳細に図示するように、各ストラット３０は、内側ストラット部３８とストラット翼形部４０を含むことができる。内側ストラット部３８は、一般に、ストラット３０の１次構造又は耐荷重部品として機能するよう構成することができる。ストラット翼形部４０は、一般に、内側ストラット部３８を囲むように構成することができる。加えて、幾つかの実施形態では、ストラット翼形部４０は、空気力学的形状又は輪郭を定めて排出ディフューザ２４に空気力学的特性を与えるようにし、これによりディフューザ２４を通る排出ガス３６の流れを改善及び／又は制御することができる。例えば、ストラット翼形部４０は、共に接合して空気力学的輪郭を定めるよう構成される、第１のキャンバ面４２と第２のキャンバ面４４とを含むことができる。従って、各ストラット３０は、キャンバ面４２、４４の上流側端部にて前縁４６と、キャンバ面４２、４４の下流側端部にて後縁４８とを定めることができる。図示の実施形態に示すように、各ストラット３０の前縁４６は、一般に、ガスタービン１２のタービンセクション１８から流出する排出ガス３６の流れと反対の方向に面することができる。
【００２１】
本発明の主題は、全体的に、当該技術分野で公知のあらゆる排出ディフューザに適用可能であり、従って、必ずしも特定のタイプの排出ディフューザ構成に限定されない点は理解されたい。例えば、図示の実施形態では示すように、排出ディフューザ２４は軸方向排出ディフューザを備え、これによりタービンセクション１８からの排出ガス３６がＨＲＳＧシステム２２に向かって軸方向（すなわち、非半径方向の直接的経路）で配向することができる。しかしながら、他の実施形態では、排出ディフューザ２４は、半径方向排出ディフューザを備えることができ、これにより排出ガス３６が排出ディフューザ２４から出口ガイドベーン（図示せず）を通過して外向き又は半径方向に９０度の転回（又は他の何れかの角度転回）をし、ＨＲＳＧシステム２２に向けて流出するよう再配向することができる。
【００２２】
再度図２〜４を参照すると、排出ディフューザ２４はまた、水、空気、燃料、及び／又は同様のものを排出通路３４内で受けた排出ガスの流れに噴射するための１以上の流体出口５０を含むことができる。上述のように、開示された流体出口５０を用いて排出ガス３６内に流体を噴射することによって、ガスタービン１２の排出温度は、図示のＨＲＳＧシステム２２などの下流側部品に対する許容可能な作動温度にまで低下させることができる。従って、タービンセクション１８から流出する排出ガス３６の最大温度は、必ずしもこのような下流側部品の最大作動温度に限定されないことから、ガスタービン１２のターンダウン能力を大幅に向上させることができる。本発明の開示の関連において、用語「流体出口」又は「複数の流体出口」は、好適な流体又は流体混合物を排出ディフューザ２４の排出通路３４を流れる排出ガス３６中に配向、スプレー、ミスト、噴霧、放出、及び／又は他の方法で噴射するよう構成された、あらゆる開口、オリフィス、ノズル、流体噴射器、スプレー、霧吹き器、噴霧器、及び／又は他のあらゆる好適な構造体及び／又は部品を含むことができる。例えば、流体出口５０は、排出ガス３６の流れに流体をスプレー又は他の方法で噴射するためスプレーノズル、流体噴射器、及び／又は他の好適な装置が取り付けられる排出ディフューザ２４の部品の１以上において定められる開口を含むことができる。
【００２３】
一般に、流体出口５０は、排出ディフューザ２４のあらゆる好適な部品内に、且つ排出ガス３６の流れに流体を噴射することができる排出ディフューザ２４内のあらゆる好適な場所に定め又は他の方法で形成することができる。従って、本発明の主題の幾つかの実施形態では、１以上の流体出口５０は、各ストラット３０のストラット翼形部４０内に定めることによるなど、各ストラット３０の一部内に定めることができる。例えば、図示の実施形態では、流体出口５０は、排出ガス３６の流路内に実質的に前方に流体を噴射できるように、ストラット翼形部４０の前縁４６にて及び／又は前縁に隣接して定めることができる。具体的には、図３に示すように、流体出口５０は、前縁４６にて及び／又は前縁に隣接して定めることができ、且つストラット３０の高さ５２に沿って離間して配置することができる。そのため、流体出口５０を通って流れる流体は、このような高さ５２に沿って排出通路３４内の種々の半径方向位置にて排出ガス３６内に噴射することができる。
【００２４】
加えて、本発明の主題の特定の実施形態では、流体出口５０は、前縁４６の各側部の下方のストラット３０内に定められ、前縁４６を通過して第１及び第２のキャンバ面４２、４４に沿って流れる排出ガス３６内に流体を噴射することができるようにすることができる。例えば、図３及び４に示すように、流体出口５０は前縁４６に沿ってペアで定めることができ、各流体出口５０は、前縁４６の各側部に配向される排出ガス３６内に前方に流体を排出するよう構成される。このような構成により、ストラット翼形部４０にわたるガス３６の空気力学的流れを妨げることなく、流体を排出ガス３６中に噴射可能にすることができる。しかしながら、代替の実施形態では、流体出口５０は、必ずしも前縁４６の各側部に沿ってペアで形成する必要はなく、一般に、何らかの好適な構成及び／又はパターンを有するようにストラット３０内に定めることができる。例えば、各ストラット３０は、前縁４６にて及び／又は前縁に隣接して定められる流体出口５０の単一の支柱を含むことができる。
【００２５】
その上、流体出口５０は、必ずしもストラット翼形部４０の前縁４６にて及び／又は前縁に隣接して定める必要はなく、一般に、ストラット３０の外周付近のあらゆる好適な場所に定めることができる点は理解されたい。例えば、流体出口５０は、第１及び／又は第２のキャンバ面４２、４４の中間部分に定めることによって、或いは、ストラット翼形部４０の後縁４８にて及び／又は後縁に隣接して定めることによってなど、ストラット翼形部４０上の更に下流側の場所にてストラット３０内に定めることができる。また、ストラット３０は流体出口５０のあらゆる好適な数を定めることができる点は理解されたい。例えば、図示の実施形態では、各ストラット３０は複数の流体出口５０を定める。しかしながら、他の実施形態では、単一の流体出口５０のみを定めてもよい。別の実施形態では、流体出口５０は、排出ディフューザ２４内に配置されたストラット３０の一部においてのみ定めることができる。
【００２６】
図２〜４を更に参照すると、流体出口５０は、一般に、各流体出口５０に流体を供給するために流体源５４（例えば、水供給源、空気供給源、及び／又は同様のもの）と流れ連通することができる。例えば、図示の実施形態では、流体出口５０は、マニホルド５６及び該マニホルド５６から延在する複数の流体導管５８（例えば、パイプ、管体、及び／又は同様のもの）を通って流体源５４に結合することができる。具体的には、図示のように、マニホルド５６は、一般に、排出ディフューザ２４の外側ケーシング２８を囲むリング形部材を含むことができ、流体源５４からの流体を受けるように構成することができる。そのため、マニホルド５６は、排出ディフューザ２４の外周の周りに流体を供給する手段を提供することができる。加えて、マニホルド５６から延在する流体導管５８は、一般に、マニホルド５６を通って流れる流体を流体出口５０に移送するよう構成することができる。従って、図示の実施形態では、流体導管５８は、排出ディフューザ２４の外側ケーシング２８を通って延在して、各流体導管５８の第１の端部６０がマニホルド５６と流れ連通し且つ各流体導管５８の第２の端部６２が各ストラット３０の内部内に配置されるように構成することができる。次いで、導管５８により受け取られる流体は、各流体出口５０に供給され、排出通路３４を流れる排出ガス３６のストリーム内に直接噴射するようにすることができる。例えば、図２及び４に詳細に示すように、流体導管５８は、導管５８を流れる流体を各流体出口５０に配向するためのコネクタ通路６４を含むことができる。
【００２７】
代替の実施形態では、流体出口５０は、必ずしも図２〜４に示す同じ構成を用いて流体源５４と流れ連通する必要はない点は理解されたい。むしろ、流体出口５０は、一般に、あらゆる好適な配管／管体構成及び／又は当該技術分野で公知のあらゆる好適な手段及び／又は方法を用いて、流体源５４に結合することができる。
【００２８】
次に、図５及び６を参照すると、本発明の主題の態様による、開示されたシステム１０で使用される排出ディフューザ１２４の別の実施形態の簡略図を示している。詳細には、図５は、排出ディフューザ１２４の一実施形態の側断面図を示している。図６は、線６−６に沿った図５に示す排出ディフューザ１２４の断面図を示している。
【００２９】
一般に、排出ディフューザ１２４は、図２〜４に関して上述した排出ディフューザ２４と同様に構成することができ、同じ部品の多く及び／又は全てを含むことができる。例えば、図示のように、排出ディフューザ１２４は、ガスタービン１２の回転部品１３２を収容するよう構成された内側ケーシング１２６と、該内側ケーシング１２６を囲む外側ケーシング１２８とを含むことができる。外側ケーシング１２８は、一般に、内側ケーシング１２６から半径方向に間隔を置いて配置され、ガスタービン１２のタービンセクション１８から流出する排出ガス１３６を受けるため末広の排出通路１３４が定められるようにすることができる。加えて、排出ディフューザ１２４は、内側ケーシング１２６と外側ケーシング１２８との間に延在する１以上のストラット１３０を含むことができる。排出ディフューザ１２４はまた、好適な流体又は流体の混合物を排出ガス１３６の流れ内に噴射するための１以上の流体出口１５０を含むことができる。そのため、排出ガス１３６の温度は、このようなガス１３６が開示されたシステム１０のＨＲＳＧシステム２２のようなあらゆる下流側部品に送給される前に有意に低下させることができる。
【００３０】
しかしながら、図２〜４に関する上述の実施形態とは異なり、流体出口１５０は、一般に、排出ディフューザ１２４の外側ケーシング１２８内に及び／又は該外側ケーシング１２８を通って定められ、流体をディフューザ１２４の外周付近で排出ガス１３６中に噴射できるようにすることができる。このような実施形態では、流体出口１５０は、一般に、あらゆる好適な手段及び／又は方法を用いて流体源１５４と流れ連通することができる。例えば、図５及び６に示すように、マニホルド１５６は、外側ケーシング１２８の外周付近に延在することができ、流体源１５４から流体を受け取るよう構成することができる。加えて、複数の流体導管１５８がマニホルド１５６から外側ケーシング１２８内に延在して、マニホルド１５６を通る流体を各流体出口１５０に配向することができる。
【００３１】
流体出口１５０は、一般に、外側ケーシング１２８に沿ったあらゆる好適な場所に定めることができる点は理解されたい。例えば、図示の実施形態では、流体出口１５０は、ストラット１３０の上流側の外側ケーシング１２８内に定められる。代替の実施形態では、流体出口１５０は、幅６６（図４）の一部と整列させることによって、或いは、ストラット１３０の下流側に配置させることによってなど、更に下流側の位置で外側ケーシング１２８内に定めることができる。更に、図６に詳細に示すように、幾つかの実施形態では、流体出口１５０は、一般に、外側ケーシング１２８の周囲全体の周りに定めることができる。しかしながら、他の実施形態では、流体出口１５０は、外側ケーシングの周囲の一部だけに沿って定めることもできる。
【００３２】
また、宇５に関して説明した流体出口１５０は、図２に関して説明した流体出口５０と組み合わせることができる点は理解されたい。例えば、本発明の主題の幾つかの実施形態では、流体出口５０、１５０は、外側ケーシング２８、１２８とストラット３０、１３０の両方に定めることができ、流体出口５０、１５０は、共通のマニホルド５６、１５６を通って、或いは、別個のマニホルド５６、１５６を通って流体を供給する。更に、流体出口５０、１５０が外側ケーシング２８、１２８及び／又はストラット３０、１３０内に定められるのに加えて、或いは、これの代替として、排出ディフューザ２４、１２４の内側ケーシング２６、１２６内にも流体出口を定め、排出ガス３６、１３６の流れ内に流体を噴射できるようにすることができる。
【００３３】
次に、図７及び８を参照すると、本発明の主題の態様による、開示されたシステム１０で使用するための排出ディフューザ２２４の別の実施形態の簡略図を示している。詳細には、図７は、排出ディフューザ２２４の一実施形態の側断面図を示している。図８は、線８−８に沿った図７に示す排出ディフューザ２２４の断面図を示している。
【００３４】
一般に、排出ディフューザ２２４は、図２〜６に関して上述された排出ディフューザ２４、１２４と同様に構成することができ、同じ部品の多く及び／又は全てを含むことができる。例えば、図示のように、排出ディフューザ２２４は、ガスタービン１２の回転部品２３２を収容するよう構成された内側ケーシング２２６と、該内側ケーシング２２６を囲む外側ケーシング２２８とを含むことができる。外側ケーシング２２８は、一般に、内側ケーシング２２６から半径方向に間隔を置いて配置され、ガスタービン１２のタービンセクション１８から流出する排出ガス２３６を受けるため末広の排出通路２３４が定められるようにすることができる。加えて、排出ディフューザ２２４は、内側ケーシング２２６と外側ケーシング２２８との間に延在する１以上のストラット２３０を含むことができる。排出ディフューザ２２４はまた、好適な流体又は流体の混合物を排出ガス２３６の流れ内に噴射するための１以上の流体出口２５０を含むことができる。そのため、排出ガス２３６の温度は、このようなガス２３６が開示されたシステム１０のＨＲＳＧシステム２２のようなあらゆる下流側部品に送給される前に有意に低下させることができる。
【００３５】
しかしながら、図２〜４に関する上述の実施形態とは異なり、流体出口２５０は、外側ケーシング２２８を通りストラット２３０の外部の排出通路２３４内の位置まで延在する１以上の流体導管２５８（パイプ、管体、及び同様のものなど）内に定めることができる。例えば、幾つかの実施形態では、１以上の流体導管２５８は、外側ケーシング２２８を通って延在することができ、各ストラット２５０のストラット翼形部２４０の外周に隣接して取り付け及び／又は位置付けることができる。従って、図示の実施形態では、流体導管２５８（その１つが図示されている）は、各ストラット翼形部２４０の後縁２４８に隣接して取り付け及び／又は位置付けることができる。そのため、流体導管２５８を流れる流体は、排出ガス２３６が各ストラット２３０を通過して流れるときに、流体出口２５０から排出されてこのようなガス２３６の流れ内に噴射することができる。他の実施形態では、開示された流体導管２５８は、排出通路２３４内の他のあらゆる好適な場所に配置することができる点は理解されたい。例えば、流体導管２５８は、キャンバ面２４２、２４４の一方及び／又はストラット翼形部２４０の前縁２４６に隣接して取り付け及び／又は位置付けることなどにより、他のあらゆる好適な場所でストラット翼形部２４０に隣接して取り付け及び／又は位置付けることができる。或いは、流体導管２５８は、ストラット２３０の各々の間の位置、及び／又は排出通路２３４内の他の何れかの好適な位置など、他の様々な位置に配置することができる。
【００３６】
流体導管２５８内に定められる流体出口２５０は、一般に、あらゆる好適な手段及び／又は方法を用いて流体源２５４と流れ連通することができる点は理解されたい。例えば、図７に示すように、マニホルド２５６は、外側ケーシング２２８の外周の周りに延在することができ、流体源２５４から流体を受け取るよう構成することができる。加えて、流体導管２５８は、マニホルド２５６を通って流れる流体を各流体出口１５０に配向することができるようにマニホルド２５６に結合することができる。また排出ディフューザ２４、１２４、２２４のストラット３０、１３０、２３０、外側ケーシング２８、１２８、２２８、及び／又は内側ケーシング２６、１２６、２２６内に定められる流体出口５０、１５０、２５０を有することに加えて、或いは代替として、図７及び８に関して上記で説明した流体出口２５８を利用してもよい点は理解されたい。
【００３７】
加えて、本明細書で開示されるシステム１０は、流体源５４、１５４、２５４から供給される流体は、ガスタービン１２のタービンセクション１８から流出するガス３６、１３６、２３６の排気温度に基づいて、排出ディフューザ２４、１２４、２２４を流れる排出ガス３６、１３６、２３６内に選択的に噴射できるように構成することができる。例えば、幾つかの実施形態では、排出ガス３６、１３６、２３６の温度が図示のＨＲＳＧシステム２２のような下流側部品の最大作動温度を超えたとき（例えば、ガスタービン１２が低いターンダウン値で運転しているとき）にのみ、このようなガス３６、１３６、２３６中に流体を噴射することが望ましい場合がある。従って、システム１０はまた、排出ガス３６、１３６、２３６の温度を直接的に測定するよう構成された温度センサ（図示せず）を含めることによって、或いは、ガスタービン１２の１以上の作動パラメータ及び／又は条件に基づいて温度を推定及び／又は計算するよう構成されたコンピュータ又はタービンコントローラのような好適な処理ユニット（図示せず）を含めることによってなど、タービンセクション１８から流出する排出ガス３６、１３６、２３６の温度を決定するあらゆる好適な手段を含むことができる。
【００３８】
更に、開示されたシステム１０また、流体出口５０、１５０、２５０に供給される流体の量を制御するための当該技術分野で公知のあらゆる好適な手段を含むことができる。例えば、図２、５、及び７に示すように、遮断又は制御バルブ８０、１８０、２８０は、流体源５４、１５４、２５４とマニホルド５６、１５６、２５６との間に位置付けられ、流体出口５０、１５０、２５０への供給流体を終端し、及び／又は流体出口５０、１５０、２５０に供給される流体の量を変えるようにすることができる。従って、排出ガス３６、１３６、２３６の温度がＨＲＳＧシステム２２及び／又は他の何れかの下流側部品の最大作動温度を下回ると、流体出口５０、１５０、２５０への供給流体を遮断し、加熱された排出ガス３６、１３６、２３６の下流側効率を最大にすることができる。しかしながら、ガスタービン１２のターンダウン中に排気温度が上昇すると、流体出口５０、１５０、２５０に供給される流体の量は、あらゆる下流側部品に対して許容可能な作動温度まで排出ガス３６、１３６、２３６を十分に冷却するよう制御することができる。代替の実施形態では、バルブ８０、１８０、２８０は、流体出口５０、１５０、２５０に供給される流体の量を制御するためにシステム１０内の他の種々の位置に配置できる点は理解されたい。例えば、１以上のバルブ８０、１８０、２８０は、各流体導管５８、１５８、２５８内に配置され、及び／又はこれらに結合することができる。或いは、バルブ８０、１８０、２８０は、各流体出口５０、１５０、２５０内にバルブ作動ノズルを含めることによってなど、各流体出口５０、１５０、２５０と関連付けることができる。
【００３９】
本明細書では、本発明を最良の形態を含めて開示するとともに、装置又はシステムの製造・使用及び方法の実施を始め、本発明を当業者が実施できるようにするため、例を用いて説明してきた。本発明の特許性を有する範囲は、特許請求の範囲によって規定され、当業者に自明な他の例も包含する。かかる他の例は、特許請求の範囲の文言上の差のない構成要素を有しているか、或いは特許請求の範囲の文言と実質的な差のない均等な構成要素を有していれば、特許請求の範囲に記載された技術的範囲に属する。
【符号の説明】
【００４０】
１０  複合サイクル発電システム
１２  ガスタービン
１４  圧縮機セクション
１６  燃焼セクション
１８  タービンセクション
２０  ロータシャフト
２２  ＨＲＳＧシステム
２４，１２４  排出ディフューザ
２６，１２６  内側ケーシング
２８，１２８  外側ケーシング
３０，１３０  ストラット
３２，１３２  回転部品
３４，１３４  排出通路
３６，１３６  排出ガス
３８  内側ストラット部分
４０  ストラット翼形部
４２  第１のキャンバ面
４４  第２のキャンバ面
４６，１４６  前縁（ストラットの）
４８  後縁（ストラットの）
５０，１５０  流体出口
５２  高さ（ストラットの）
５４，１５４  流体源
５６，１５６  マニホルド
５８，１５８  流体導管
６０  第１の端部（流体導管の）
６２  第２の端部（流体導管の）
６４  コネクタ通路
６６  幅（ストラット）
８０，１８０  遮断又は制御バルブ
【図１】
2012149640.tif 000003
【図２】
2012149640.tif 000004
【図３】
2012149640.tif 000005
【図４】
2012149640.tif 000006
【図５】
2012149640.tif 000007
【図６】
2012149640.tif 000008
【図７】
2012149640.tif 000009
【図８】
2012149640.tif 000010
【外国語明細書】
2012149640000001.pdf